(57)【要約】レーザを用いる歯科治療用の医療器具において、該レーザの光導波路（１８、１９）を治療器具（１７．１〜１７．４）内に通し、電源回路を有するレーザモジュール（２）を光導波路（１８）に連結し、異なった波長を有する第２のレーザモジュール（３）を第１のレーザモジュール（２）に連結するようにした。
2005535366.tif 000002
【特許請求の範囲】
【請求項１】
レーザを用いた歯科治療用医療装置であって、該レーザの光導波路（１８、１９）は治療器具（１７．１〜１７．４）内を貫通し、電源回路を有するレーザモジュール（２）が該光導波路（１８）に連結し、第１のレーザモジュール（２）が異なった波長を有する第２のレーザモジュール（３）に連結していることを特徴とするレーザを用いた歯科治療用医療装置。
【請求項２】
前記レーザモジュール（２）に短波長レーザ、特にダイオードレーザを用いたことを特徴とする請求項１記載のレーザを用いた歯科治療用医療装置。
【請求項３】
前記レーザは波長が７５０〜１１００ｎｍ及び出力が１〜１０Ｗであることを特徴とする請求項２記載のレーザを用いた歯科治療用医療装置。
【請求項４】
第２のレーザモジュール（３）に長波長レーザ、特にエルビウム：ＹＡＧ−レーザを用いたことを特徴とする請求項１ないし請求項３のいずれか１項記載のレーザを用いた歯科治療用医療装置。
【請求項５】
前記レーザは波長が２５００〜３５００ｎｍであることを特徴とする請求項４記載のレーザを用いた歯科治療用医療装置。
【請求項６】
２つのレーザモジュール（２、３）が同一の光導波路に連結していることを特徴とする請求項１ないし請求項５のいずれか１項記載のレーザを用いた歯科治療用医療装置。
【請求項７】
レーザモジュール（２、３）はそれぞれの光導波路（１８、１９）と連結し、２つの該光導波路（１８、１９）が治療器具（１７．１〜１７．４）を貫通していることを特徴とする請求項１ないし請求項５のいずれか１項記載のレーザを用いた歯科治療用医療装置。
【請求項８】
前記各レーザモジュール（２、３）にそれぞれ固有の光導波路（１８．１９）及び固有の治療器具（１７．１〜１７．４）が連結していることを特徴とする請求項１ないし請求項５のいずれか１項記載のレーザを用いた歯科治療用医療装置。
【請求項９】
第１のレーザモジュール（２）に光導波路としてのガラスファイバーが連結していることを特徴とする請求項７あるいは請求項８記載のレーザを用いた歯科治療用医療装置。
【請求項１０】
第２のレーザモジュール（３）に光導波路としての光導波管が連結していることを特徴とする請求項７ないし請求項９のいずれか１項記載のレーザを用いた歯科治療用医療装置。
【請求項１１】
光導波路あるいは第１のレーザモジュール（２）の連結導管（８）内に少なくとも２つのレンズ（１０．１、１０．２）から構成する光学素子を組込んでいることを特徴とする請求項１０記載のレーザを用いた歯科治療用医療装置。
【請求項１２】
治療器具（１７．２、１７．３）内に冷却剤用の導管（２０）を備えていることを特徴とする請求項１ないし請求項１１のいずれか１項記載のレーザを用いた歯科治療用医療装置。
【請求項１３】
治療器具（１７．１〜１７．４）が後続部（７）に取り外し可能に連結していることを特徴とする請求項１ないし請求項１２のいずれか１項記載のレーザを用いた歯科治療用医療装置。
【請求項１４】
後続部（７）に２つのレンズ（１０．１、１０．２）を有する光学素子（９）、導波管（１２）、冷却剤用の導管（１４）及び切換装置（１６）を備えていることを特徴とする請求項１３項記載のレーザを用いた歯科治療用医療装置。
【請求項１５】
付属する電源回路及び制御モジュール（５）を有する２つのレーザモジュール（２、３）が装置基部（１）内に備わっていることを特徴とする請求項１ないし請求項１４のいずれか１項記載のレーザを用いた歯科治療用医療装置。
【請求項１６】
前記装置基部（１）にディスプレイ及び／あるいはタッチパネルを備えていることを特徴とする１５項記載のレーザを用いた歯科治療用医療装置。
【請求項１７】
後続部（７）に種々の光導波路及び／あるいは冷却剤導管の組合わせを有する多数の治療器具（１７．１〜１７．４）を備えていることを特徴とする請求項１３ないし請求項１６のいずれか１項記載のレーザを用いた歯科治療用医療装置。
【発明の詳細な説明】
【技術分野】
【０００１】
本発明はレーザを用い、該レーザの光導波路を治療器具内に通し、電源回路を有するレーザモジュールに該光導波路を連結して構成した歯科治療用医療装置に関する。
【背景技術】
【０００２】
現在、歯科医療分野において、総計７つの異なった波長を有する５つの異なったレーザが存在している。例えば国際公開公報第９３／１９６８４号パンフレットには１つの治療器具を有する歯科用レーザが示されている。
【発明の開示】
【発明が解決しようとする課題】
【０００３】
しかし、このようなレーザに関しては今のところ唯一の治療法しか可能でない。欧州出願公開第０５２３５０６Ａ１明細書に記載の冷却剤の溝が治療器具に備わっている医療装置についても同じことが当てはまる。
【課題を解決するための手段】
【０００４】
本発明は上記の課題に鑑みて為されたものであり、種々の治療を行える装置を歯科医に提供できる医療装備あるいは同様の技術を開発することにある。
【０００５】
上記の課題を解決するため、異なった波長を有する第２のレーザモジュールを第１のレーザモジュールに連結するようにした。
【０００６】
特に、第１のレーザモジュールに短波長のレーザ、第２のレーザモジュールに長波長のレーザを選んだ場合には、一つの装置により９０〜９５％望み通りの治療が可能となる。このことは歯科医に明確な治療の利点をもたらすので、歯科医はこのような装置に投資する用意がある。
【０００７】
好適な実施例においては、第１のモジュールには波長７５０〜１１００ｎｍのダイオードレーザを用いている。波長を８１０±１０ｎｍあるいは９８０±１０ｎｍに限定すれば更に好ましい。出力は１〜２０Ｗの範囲にある。
【０００８】
第２のモジュールでは波長２５００〜３５００ｎｍのエルビウム：ＹＡＧ−レーザを用いている。この場合には波長２９４０±１００ｎｍが好ましい。
【０００９】
２つのレーザモジュールを同一の光導波路に連結することも可能である。しかし、各レーザモジュールがそれぞれ光導波路を有することが好ましく、２つの光導波路を１つの治療器具に共に備えるか別々の治療器具に備えてもよい。ダイオードレーザではガラスファイバーが光導波路として好ましく、エルビウム：ＹＡＧ−レーザでは導波管が好ましい。
【００１０】
ダイオードレーザには少なくとも２つのレンズから構成する光学素子を備えることが好ましい。更に、治療器具内に冷却剤用の導管も備えておくことが好ましい。
【００１１】
上述のように、一つの治療器具内に種々の導管を備えることができるが、歯科医が異なった光導波路及び／あるいは冷却剤導管の組み合わせを有する多数の治療器具を用いることも考慮すべきである。後者の場合には、歯科医がうっかり間違った機能を操作することがなく、従って常に所望の治療器具を選択でき、切換を間違って、所望しない機能を作動させない利点がある。
【００１２】
治療器具は、共通配管を介して装置基部と連結している後続部に取り外し可能に連結できることが好ましい。装置基部にはレーザモジュール、それに付属する電源回路及び制御モジュールが一括して備わっている。さらに、装置基部に、歯科医が機能を選択できるようにディスプレイ及び／あるいはタッチパネルを備えてもよい。
【発明を実施するための最良の形態】
【００１３】
以下、図面を用いて本発明の実施例を説明する。
【００１４】
図１に示すように、装置基部１にダイオードレーザのレーザモジュール２及びエルビウム：ＹＡＧ−レーザのレーザモジュール３を配置している。更に冷却剤の供給源４及び電子制御装置５も備えている。
【００１５】
装置基部１は共通配管６を介して後続部７と連結している。ダイオードーレーザモジュール２は連結導管８を介して、２つのレンズ１０．１、１０．２を組み込んだ光学素子９と連結している。
【００１６】
エルビウム：ＹＡＧ−レーザモジュール３は連結導管１１を介して導波管１２と連結しており、この導波管は内部でレーザ光線を反射する特殊鋼製が好ましい。
【００１７】
冷却剤の供給源１４からの連結導管１３は中継部１４と連結している。電子制御装置５からの連結導管１５は機能選択用の切換装置１６と連結している。
【００１８】
図２に示すように、後続部７に種々の治療器具を組込むことができる。治療器具１７．１はダイオードレーザを単独駆動するのに適しているので、光導波路１８のみを備えている。このダイオードレーザには３〜２０Ｗの高出力が必要である。
【００１９】
図２のｂ）に示す治療器具１７．２にはエルビウム：ＹＡＧ−レーザ用の光導波路１９及び冷却剤導管２０を組込んでいる。
【００２０】
一方、図２のｃ）に示す治療器具１７．３ではダイオードレーザの光導波路１８には冷却剤導管２０を組合わせている。
【００２１】
図２のｄ）に示す治療器具１７．４では１００ｍＷ程度の低出力のレーザを用い、光導波路１８．１には直径が５〜８ｍｍの断面積の大きなガラス棒２１を取付けている。この治療器具を用いて、特に広い領域を穏やかに歯科治療できる。
【００２２】
以下、本発明の作用を述べる。
【００２３】
対応するレーザモジュール２、３、冷却剤の供給源４及び電子制御装置５を有する装置基部１は治療用いすの近辺に設置する。治療する医師は共通配管６を介して装置基部１と連結している後続部７を意のままに使う。医師はセットから治療器具を一つ選び治療器具１７．１〜１７．４を意のままに用いて患者を治療する。次いで、医師は後続部７の切換装置１６を介して対応する光導波路１８、１８．１、１９あるいは冷却剤導管２０を駆動状態にする。当然のことながら、この操作は足踏み式切換装置でも可能である。
【図面の簡単な説明】
【００２４】
【図１】本発明によるレーザを用いた歯科治療用医療装置の一部を模式的に示す平面図
【図２】本発明によるレーザを用いた歯科治療用医療装置の図１とは異なった部分を模式的に示す平面図
【符号の説明】
【００２５】
１    装置基部
２    ダイオード−レーザモジュール
３    エルビウム：ＹＡＧ−レーザモジュール
４    冷却剤の供給源
５    電子制御装置
６    共通配管
７    後続部
８    連結導管
９    光学素子
１０  レンズ
１１  連結導管
１２  導波管
１３  連結導管
１４  中継部
１５  連結導管
１６  切換装置
１７  治療器具
１８  光導波路
１９  光導波路
２０  冷却剤導管
２１  ガラス棒
【図１】
2005535366.tif 000003
【図２】
2005535366.tif 000004
【手続補正書】
【提出日】平成16年4月29日(2004.4.29)
【手続補正１】
【補正対象書類名】明細書
【補正対象項目名】０００３
【補正方法】変更
【補正の内容】
【０００３】
しかし、このようなレーザに関しては今のところ唯一の治療法しか可能でない。欧州出願公開第０５２３５０６Ａ１明細書に記載の冷却剤の溝が治療器具に備わっている医療装置についても同じことが当てはまる。
独国特許出願公開第１９８４４７１９Ａ１号明細書に記載の、特にレーザ光線照射による医療あるいは外科治療を実行するためのレーザ治療装置が知られている。この装置はレーザ光線を生成する固体レーザ、固体レーザを励起する励起用光源、固体レーザからの生成光波をパルスレーザ光線として放射させる品質切替器を有する第１の光学系、固体レーザからの生成光波を連続レーザとして放射する第２光学系及び固体レーザからの生成振動光を第１あるいは第２の光学系の光路を切り替えるための切り替えシステムを含んでいる。
米国特許第６２７０３４２Ｂ１号明細書では歯科治療用の治療器具を提案している。治療器具内には、例えばダイオードレーザ、ダイオードポンピングした固体レーザ、ＬＥＤ、マイクロウェーブ発生装置あるいは超音波発生装置などの機能装置を備えている。実施例６ではレーザ装置からの光が２つの光系へと分割できることを述べている。第１のレーザ系は外科手術に供され、第２のレーザ系は副作用あるいは失血を減らすため組織を消毒するのに用いている。
【国際調査報告】
2005535366.tif 000005
2005535366.tif 000006
2005535366.tif 000007
2005535366.tif 000008
2005535366.tif 000009
2005535366.tif 000010